(57)【要約】【課題】単一機種により複数のパイロットキャリアの周波数に対応させることができるＣＡＴＶ伝送用増幅器を提供する。【解決手段】ＣＡＴＶ伝送用増幅器の下り増幅部において、ＡＧＣ回路に標準仕様の周波数のパイロットキャリアを選択するＳＡＷフィルタ部３２を設けると共に、このＳＡＷフィルタ部３２に対し、他の運用仕様に合わせたパイロットキャリアを選択するＳＡＷフィルタカード６０を着脱可能に設ける。ＳＡＷフィルタ部３２に対してＳＡＷフィルタカード６０を装着した場合には、ＳＡＷフィルタ部３２におけるパイロットキャリアの選択動作を停止し、ＳＡＷフィルタカード６０に実装されているＳＡＷフィルタ６２によりパイロットキャリアを選択する。そして、この選択されたパイロットキャリアを用いて下り増幅部のＡＧＣ制御動作を実行し、出力信号を適正レベルに保持する。【選択図】図２
2012119962.tif 000002
【特許請求の範囲】
【請求項１】
高周波信号を増幅する増幅部と、前記増幅部の出力信号から標準仕様の周波数のパイロットキャリアを選択するＳＡＷフィルタ部と、前記ＳＡＷフィルタ部に対してコネクタにより着脱可能に設けられ、任意運用仕様に合わせた特定周波数のパイロットキャリアを選択するＳＡＷフィルタを備えたＳＡＷフィルタカードと、前記コネクタに前記ＳＡＷフィルタカードが装着された際に前記ＳＡＷフィルタ部に代わって前記ＳＡＷフィルタカードに実装されたＳＡＷフィルタが動作するように回路を切替える切替手段と、前記ＳＡＷフィルタ部により選択されたパイロットキャリアあるいは前記ＳＡＷフィルタカードに実装されたＳＡＷフィルタにより選択されたパイロットキャリアに基づいて前記増幅部の出力信号レベルが一定となるように該増幅部の利得を制御するＡＧＣ回路とを具備したことを特徴とするＣＡＴＶ伝送用増幅器。
【発明の詳細な説明】
【技術分野】
【０００１】
本発明は、補助基板を用いて複数のパイロットキャリアの周波数に対応させることができるＣＡＴＶ伝送用増幅器に関する。
【背景技術】
【０００２】
ＣＡＴＶシステムでは、受信点装置（ヘッドエンド）で受信したテレビ信号を伝送する際、高品位の同軸ケーブルにより一定の間隔でＣＡＴＶ伝送用増幅器（幹線増幅器）を多段にカスケードに接続し、該増幅器で信号を増幅しながら加入者端末が集合するエリアまで伝送している（例えば、特許文献１参照。）。
【０００３】
また、ＣＡＴＶシステムでは、テレビ信号の伝送に際し、所定の周波数に設定されたパイロットキャリアを使用し、その信号レベルを基準にしてＣＡＴＶ伝送用増幅器のＡＧＣ制御を行い、伝送信号を適正レベルに保持している。この場合、ＣＡＴＶ伝送用増幅器は、選択特性が急峻なＳＡＷ（Surface Acoustic Wave：表面弾性波）フィルタを使用して上記所定の周波数のパイロットキャリアを選択し、このパイロットキャリアの信号レベルに基づいてＡＧＣ制御を行っている。
【０００４】
上記ＣＡＴＶシステムにおけるパイロットキャリアの周波数は、通常、４５１．２５［ＭＨｚ］が標準仕様の周波数として採用されているが、その他、例えば４９５．２５［ＭＨｚ］や４４５．２５［ＭＨｚ］の周波数を使用して運用している場合もある。
【０００５】
上記ＣＡＴＶ伝送用増幅器を製作する場合、従来ではパイロットキャリアの運用周波数に合わせて対応する機種を設計し、１周波数−１機種として複数種の機器を生産している。
【０００６】
また、本発明に関連する公知技術として、ＣＡＴＶシステム等の伝送路に使用される広帯域増幅器において、高周波増幅器及び損失補償部が組み込まれたメイン基板に対し、上記メイン基板の損失補償部にコネクタを介して着脱可能に損失及び周波数特性を補正する回路からなるサブ基板を設けると共に、上記損失補償部の入力端子と出力端子との間に高周波スイッチを設け、上記サブ基板の着脱を検出し、サブ基板が装着されているときは上記高周波スイッチをオフして伝送信号を上記損失及び周波数特性を補正する回路を通過させ、サブ基板が装着されていない状態では上記高周波スイッチをオンして伝送信号を上記入力端子から出力端子に伝送させることにより、サブ基板を安全に交換できるようにした技術が知られている（例えば、特許文献２参照。）
【先行技術文献】
【特許文献】
【０００７】
【特許文献１】特開２００４−３２０４１６号公報
【特許文献２】特開平１１−２１５０３２号公報
【発明の概要】
【発明が解決しようとする課題】
【０００８】
上記のように従来のＣＡＴＶ伝送用増幅器では、パイロットキャリアの周波数毎に合わせて１周波数−１機種として機器を生産しているので、パイロットキャリアの運用周波数に合わせて複数の機種を用意する必要があり、生産コストが高くなるという問題があった。
【０００９】
本発明は上記の課題を解決するためになされたもので、単一機種により複数のパイロットキャリアの周波数に対応させることができ、且つ選択するパイロットキャリアの周波数を後から容易に変更することが可能なＣＡＴＶ伝送用増幅器を提供することを目的とする。
【課題を解決するための手段】
【００１０】
本発明に係るＣＡＴＶ伝送用増幅器は、高周波信号を増幅する増幅部と、前記増幅部の出力信号から標準周波数のパイロットキャリアを選択するＳＡＷフィルタ部と、前記ＳＡＷフィルタ部に対してコネクタにより着脱可能に設けられ、任意運用仕様に合わせた特定周波数のパイロットキャリアを選択するＳＡＷフィルタを備えたＳＡＷフィルタカードと、前記コネクタに前記ＳＡＷフィルタカードが装着された際に前記ＳＡＷフィルタ部に代わって前記ＳＡＷフィルタカードに実装されたＳＡＷフィルタが動作するように回路を切替える切替手段と、前記ＳＡＷフィルタ部により選択されたパイロットキャリアあるいは前記ＳＡＷフィルタカードに実装されたＳＡＷフィルタにより選択されたパイロットキャリアに基づいて前記増幅部の出力信号レベルが一定となるように該増幅部の利得を制御するＡＧＣ回路とを具備したことを特徴とする。
【発明の効果】
【００１１】
本発明によれば、ＳＡＷフィルタカードを交換するだけで、任意の運用仕様に合わせたパイロットキャリアの周波数に対応させることができ、また、選択するパイロットキャリアの周波数を後からでも容易に変更することができる。従って、１機種の増幅器を製作するだけで複数のパイロットキャリアの周波数に対応させることができ、増幅器を多機種用意する必要がなく、生産性を向上し得ると共に製品の管理がきわめて容易となる。
【図面の簡単な説明】
【００１２】
【図１】本発明の実施例１に係るＣＡＴＶ伝送用増幅器の回路構成を示すブロック図である。
【図２】同実施例１におけるＳＡＷフィルタ部及びＳＡＷフィルタカードの詳細な回路構成例を示す図である。
【図３】同実施例１におけるＳＡＷフィルタカードの外観構成例を示す斜視図である。
【発明を実施するための形態】
【００１３】
以下、本発明の実施の形態について図面を参照して詳細に説明する。
【実施例１】
【００１４】
図１は、本発明をＣＡＴＶ双方向増幅器に実施した場合の回路構成例を示すブロック図である。
【００１５】
図１において、１０は下り入力／上り出力端子で、この下り入力／上り出力端子１０には、ＣＡＴＶシステムのヘッドエンド装置（図示せず）側から下り方向に送られてくる例えば７０〜７７０ＭＨｚのＣＡＴＶ下り信号が入力される。下り入力／上り出力端子１０に入力された下り信号は、ＰＳＦ（パワーソースフィルタ）１１及びモニタ信号分岐用の方向性結合器１２を介して方向性フィルタ１３に入力される。
【００１６】
ＰＳＦ１１は、動作電源が下り信号に重畳して供給される場合に、下り信号から動作電源を分離して電源回路（図示せず）へ供給する。
【００１７】
モニタ信号分岐用の方向性結合器１２は、詳細を後述する上り増幅部４０から方向性フィルタ１３を介して送られてくる例えば１０〜５５ＭＨｚの上り信号の一部（例えば−２０ｄＢ）を分離して上り出力モニタ端子１４へ出力する。
【００１８】
上記方向性フィルタ１３は、下り信号と上り信号を分波するためのフィルタであり、高域通過端子、低域通過端子及び共通端子を有し、共通端子と高域通過端子との間で下り信号を通過させるハイパスフィルタ（ＨＰＦ）と、低域通過端子と共通端子との間で上り信号を通過させるローパスフィルタ（ＬＰＦ）とを有している。
【００１９】
上記方向性フィルタ１３のハイパスフィルタ（ＨＰＦ）から出力される下り信号は、下り増幅部２０へ送られる。この下り増幅部２０は、周波数偏差を補正する等化器（ＥＱ：イコライザ）２１、信号減衰量を設定するアッテネータ（ＡＴＴ）２２、モニタ信号を分岐する方向性結合器２３、下り信号を増幅する増幅器２５、利得調整部（ＧＣ）２６、増幅器２７、ケーブルの減衰特性に対応して周波数特性（チルト特性）を設定するスロープ調整器（SLOPE）２８、下り増幅部２０の利得特性を調整するアッテネータ（ＡＴＴ）２９、増幅器３０、ＡＧＣ用信号を分岐する方向性結合器３１が直列に設けられる。上記モニタ信号分岐用の方向性結合器２３は、下り信号の一部（例えば−２０ｄＢ）を分岐して下り入力モニタ端子２４へ出力する。
【００２０】
また、上記方向性結合器３１により分岐されたＡＧＣ用信号は、例えば標準仕様の周波数４５１．２５［ＭＨｚ］のパイロットキャリアを選択するＳＡＷ（Surface Acoustic Wave：表面弾性波）フィルタ部３２、下り増幅部２０の出力レベルを設定するためのＡＧＣ設定回路３４、ＡＧＣコントロール回路３５及び切替スイッチ３６を介して利得調整部（ＧＣ）２６の制御端子に入力される。上記ＳＡＷフィルタ部３２には、コネクタ３３が設けられ、このコネクタ３３にＳＡＷフィルタカード６０が着脱可能に設けられる。このＳＡＷフィルタカード６０は、ＳＡＷフィルタ部３２で選択する上記標準仕様の周波数４５１．２５［ＭＨｚ］のパイロットキャリアとは異なる周波数例えば４９５．２５［ＭＨｚ］あるいは４４５．２５［ＭＨｚ］等のパイロットキャリアを選択するためのＳＡＷフィルタを備えている。上記ＳＡＷフィルタ部３２及びＳＡＷフィルタカード６０については、詳細を後述する。
【００２１】
また、下り増幅部２０には、手動操作によりＡＧＣのレベル調整を行うＭＧＣコントロール回路３７が設けられ、切替スイッチ３６を介して利得調整部（ＧＣ）２６の制御端子に接続される。切替スイッチ３６は、ＡＧＣコントロール回路３５とＭＧＣコントロール回路３７とを切替えて利得調整部（ＧＣ）２６の制御端子に接続する。上記ＡＧＣコントロール回路３５は、検波ダイオードを備え、この検波ダイオードにより検波したＡＧＣ信号のレベルに応じて利得調整部（ＧＣ）２６の信号減衰量を制御する。
【００２２】
利得調整部（ＧＣ）２６は、例えばピンダイオードによりアッテネータを構成しており、ＡＧＣコントロール回路３５あるいはＭＧＣコントロール回路３７からの制御信号によって減衰量が調整される。
【００２３】
そして、上記下り増幅部２０の方向性結合器３１から出力される下り信号は、増幅器３９を介して下り信号と上り信号を分波する方向性フィルタ１５に入力される。この方向性フィルタ１５は、高域通過端子、低域通過端子及び共通端子を有し、高域通過端子と共通端子との間で下り信号を通過させるハイパスフィルタ（ＨＰＦ）と、共通端子と低域通過端子との間で上り信号を通過させるローパスフィルタ（ＬＰＦ）とを有している。
【００２４】
方向性フィルタ１５の高域通過端子に入力された下り増幅部２０の出力信号は、ハイパスフィルタ（ＨＰＦ）を通って共通端子から出力され、更にモニタ信号分岐用の方向性結合器１６、ＰＳＦ（パワーソースフィルタ）１７及び下り出力／上り入力端子１８を介して更に、下り方向に設置されたＣＡＴＶ伝送用増幅器（図示せず）等へ送られる。上記モニタ信号分岐用の方向性結合器１６は、下り信号の一部を分岐し（例えば−２０ｄＢ）、下り出力モニタ端子１９へ出力する。
【００２５】
また、上記下り出力／上り入力端子１８には、ＣＡＴＶ加入者宅の端末装置例えばパーソナルコンピュータから送られてくるインターネット等によるＣＡＴＶ上り信号（１０〜５５ＭＨｚ）が入力され、ＰＳＦ１７、モニタ信号分岐用の方向性結合器１６、方向性フィルタ１５のローパスフィルタ（ＬＰＦ）を介して上り増幅部４０へ送られる。
【００２６】
ＰＳＦ１７は、動作電源が上り信号に重畳して供給される場合に、上り信号から動作電源を分離して分離して電源回路（図示せず）へ供給する。
【００２７】
上り増幅部４０は、増幅切替器４１、モニタ信号を分岐する方向性結合器４２、上り信号を増幅する増幅器４４、利得調整部（ＧＣ）４５、周波数特性を設定するスロープ調整器（SLOPE）４６、上り信号を選択して通過させるローパスフィルタ（ＬＰＦ）４７、上り信号を増幅する増幅器４８、信号減衰量を設定するアッテネータ４９からなり、このアッテネータ４９を介して出力される上り信号が方向性フィルタ１３のローパスフィルタ（ＬＰＦ）を介して取出され、モニタ信号分岐用の方向性結合器１２、ＰＳＦ１１、下り入力／上り出力端子１０を介して伝送線路へ出力され、上り方向のヘッドエンド装置側へ送られる。
【００２８】
上記増幅切替器４１は、例えばオート／パス／−１０ｄｂ／カットの切替端子を備えており、「パス」は信号線路をオン状態に保持して上り信号をそのまま通過させる切替端子、「−１０ｄＢ」は上り信号を−１０ｄＢ減衰させる切替端子、「カット」は上り信号をカットする切替端子である。また、「オート」の切替端子は、「パス／−１０ｄｂ／カット」の機能を遠隔操作により設定可能にするためのものである。
【００２９】
モニタ信号分岐用の方向性結合器４２は、上り信号の一部（例えば−２０ｄＢ）を分岐して上り入力モニタ端子４３へ出力する。
【００３０】
次に上記ＳＡＷフィルタ部３２及びＳＡＷフィルタカード６０の詳細について、図２及び図３を参照して説明する。図２はＳＡＷフィルタ部３２及びＳＡＷフィルタカード６０の詳細な回路構成例を示す図、図３はＳＡＷフィルタカード６０の外観構成例を示す斜視図である。
【００３１】
ＳＡＷフィルタ部３２は、図２に示すように図１の方向性結合器３１に接続される入力端子５１及びＡＧＣ設定回路３４に接続される出力端子５２を備え、上記入力端子５１と出力端子５２との間に、コンデンサＣ１、逆方向接続のダイオード５３、コンデンサＣ２、ＳＡＷフィルタ５４が直列に設けられる。上記コンデンサＣ１とダイオード５３との接続点、すなわちダイオード５３のカソードは、高周波コイルＬ及び抵抗Ｒ１を直列に介して接地される。また、ダイオード５３のアノードには、直流電圧Ｖｃｃが例えばＮＰＮ形トランジスタ５５のコレクタ・エミッタ間及び抵抗Ｒ２を介してバイアス電圧として与えられる。また、上記直流電圧Ｖｃｃは抵抗Ｒ３を介してトランジスタ５５のベースに供給される。このトランジスタ５５のベースは、コネクタ３３の接続端子３３ａに接続される。コネクタ３３は、例えば５つの接続端子３３ａ、３３ｂ、３３ｃ、３３ｄ、３３ｅを備えており、上記したように接続端子３３ａがトランジスタ５５のベースに接続され、また、接続端子３３ｂがコンデンサＣ３を介してダイオード５３のカソードに接続されると共に接続端子３３ｄがＳＡＷフィルタ５４の出力端に接続され、接続端子３３ｃ、３３ｅが接地される。
【００３２】
一方、ＳＡＷフィルタカード６０は、図２及び図３に示すように補助基板６１にＳＡＷフィルタ６２及びコネクタ６３を設けた構成となっている。コネクタ６３は、上記ＳＡＷフィルタ部３２のコネクタ３３に着脱可能に設けられ、コネクタ３３の各接続端子３３ａ〜３３ｅに対応する接続端子６３ａ、６３ｂ、６３ｃ、６３ｄ、６３ｅを備えている。上記接続端子６３ａ、６３ｃ、６３ｅは接地され、接続端子６３ｂ、６３ｄ間にＳＡＷフィルタ６２が接続される。このＳＡＷフィルタ６２は、ＳＡＷフィルタ部３２で選択する標準周波数のパイロットキャリアとは異なる周波数のパイロットキャリアを選択する。また、上記補助基板６１には、ＳＡＷフィルタ６２により選択するパイロットキャリアの周波数が異なることにより生じる利得差を補うアッテネータが必要に応じて設けられる。
【００３３】
ＣＡＴＶ伝送用増幅器の初期設定時においては、上記ＳＡＷフィルタ部３２のコネクタ３３にはＳＡＷフィルタカード６０は装着されていない。このときＳＡＷフィルタ部３２のトランジスタ５５は、Ｖｃｃ電圧が抵抗Ｒ３を介してベースバイアスとして与えられ、オン状態に保持される。トランジスタ５５がオンすると、Ｖｃｃ電圧がトランジスタ５５のコレクタ・エミッタ間及び抵抗Ｒ２を介してダイオード５３のアノードに供給され、ダイオード５３が導通状態となる。この結果、図１の方向性結合器３１から入力端子５１に入力されているＡＧＣ用信号がコンデンサＣ１、ダイオード５３、コンデンサＣ２を介してＳＡＷフィルタ５４に送られる。ＳＡＷフィルタ５４は、入力されたＡＧＣ用信号から標準仕様の周波数４５１．２５ＭＨｚのパイロットキャリアを選択し、出力端子５２から図１のＡＧＣ設定回路３４へ出力する。これにより上記４５１．２５ＭＨｚのパイロットキャリアに基づいてＡＧＣ制御が行われる。
【００３４】
そして、ＣＡＴＶシステムの運用仕様において、標準仕様の周波数のパイロットキャリアの代わりに他の周波数のパイロットキャリアが使用される場合は、そのパイロットキャリアの周波数に合わせたＳＡＷフィルタカード６０をＳＡＷフィルタ部３２のコネクタ３３に装着する。
【００３５】
上記ＳＡＷフィルタ部３２のコネクタ３３にＳＡＷフィルタカード６０のコネクタ６３が装着されると、コネクタ３３の接続端子３３ａ〜３３ｅが対応するコネクタ６３の接続端子６３ａ〜６３ｅにそれぞれ接続される。この結果、トランジスタ５５のベースがコネクタの接続端子３３ａ、６３ａを介して接地されると共に、ダイオード５３、コンデンサＣ２、ＳＡＷフィルタ５４の直列回路に対してＳＡＷフィルタカード６０のＳＡＷフィルタ６２がコンデンサＣ３を介して並列に接続される。
【００３６】
上記トランジスタ５５のベースが接地されることにより、トランジスタ５５はオフ状態となり、ダイオード５３のアノードに与えられていたバイアス電圧が「０」となってダイオード５３は非導通となる。このため入力端子５１に入力されているＡＧＣ用信号は、コンデンサＣ３を介してＳＡＷフィルタカード６０のＳＡＷフィルタ６２に入力されるようになる。ＳＡＷフィルタ６２は、入力されたＡＧＣ用信号から上記ＳＡＷフィルタ５４とは異なる周波数例えば４９５．２５ＭＨｚのパイロットキャリアを選択し、出力端子５２から図１のＡＧＣ設定回路３４へ出力する。これによりＡＧＣ回路は、上記４９５．２５ＭＨｚのパイロットキャリアに基づいてＡＧＣ制御を行う。
【００３７】
上記のように標準仕様の周波数のパイロットキャリアを用いた運用仕様の場合には、ＳＡＷフィルタカード６０は使用せず、予め本体に設けられているＳＡＷフィルタ部３２によりパイロットキャリアを検出してＡＧＣ制御を行う。
【００３８】
そして、標準仕様の周波数でなく、他の周波数のパイロットキャリアを用いた運用仕様の場合には、その運用仕様におけるパイロットキャリアに対応したＳＡＷフィルタカード６０をＳＡＷフィルタ部３２のコネクタ３３に装着して使用する。
【００３９】
次に上記のように構成されたＣＡＴＶ伝送用増幅器の下り増幅部２０の全体の動作を説明する。ＡＧＣ設定回路３４及びＡＧＣコントロール回路３５を用いて下り増幅部２０の利得を制御する場合は、切替スイッチ３６をＡＧＣコントロール回路３５側に切替える。
【００４０】
ＣＡＴＶ伝送用増幅器の下り入力／上り出力端子１０に入力された下り信号は、方向性フィルタ１３に入力され、ハイパスフィルタ（ＨＰＦ）で選択されて下り増幅部２０に入力される。下り増幅部２０に入力された下り信号は、等化器（ＥＱ）２１で周波数偏差が補正され、アッテネータ（ＡＴＴ）２２で信号レベルが調整された後、増幅器２５で増幅されて利得調整部（ＧＣ）２６に入力される。この利得調整部（ＧＣ）２６は、ＡＧＣコントロール回路３５からの制御信号によって、例えばピンダイオードからなるアッテネータの減衰量が制御される。
【００４１】
上記利得調整部（ＧＣ）２６でレベル調整された下り信号は、増幅器２７で増幅された後、スロープ調整器（SLOPE）２８で周波数特性が設定されると共にアッテネータ（ＡＴＴ）２９で信号レベルが調整され、その後、増幅器３０で増幅される。この増幅器３０で増幅された下り信号は、方向性結合器３１によりＳＡＷフィルタ部３２側に分岐される。
【００４２】
ＳＡＷフィルタ部３２のコネクタ３３にＳＡＷフィルタカード６０が装着されていない場合、ＳＡＷフィルタ部３２はＳＡＷフィルタ５４により標準仕様の周波数のパイロットキャリアを選択してＡＧＣ設定回路３４へ出力する。
【００４３】
また、ＳＡＷフィルタ部３２のコネクタ３３にＳＡＷフィルタカード６０が装着されている場合は、上記したようにＳＡＷフィルタ部３２のＳＡＷフィルタ５４に代わってＳＡＷフィルタカード６０に実装されているＳＡＷフィルタ６２が動作し、ＳＡＷフィルタ６２が選択する周波数のパイロットキャリアを選択してＡＧＣ設定回路３４へ出力する。
【００４４】
ＡＧＣ設定回路３４は、ＳＡＷフィルタ部３２のＳＡＷフィルタ５４あるいはＳＡＷフィルタカード６０のＳＡＷフィルタ６２で選択されたパイロットキャリアのレベルを予め設定されたアッテネータにより調整してＡＧＣコントロール回路３５に入力する。このＡＧＣコントロール回路３５は、ＡＧＣ設定回路３４のアッテネータでレベル調整された信号を検波ダイオードで検波して電圧に変換し、その検波電圧に応じて利得調整部（ＧＣ）２６を制御し、方向性結合器３１から出力される下り増幅部２０の出力信号を所定レベルとするように動作する。
【００４５】
上記実施例１で示したように標準仕様の周波数のパイロットキャリアを選択するＳＡＷフィルタ部３２に対し、他の運用仕様における異なる周波数のパイロットキャリアを選択するＳＡＷフィルタカード６０を着脱可能に設け、ＳＡＷフィルタカード６０を装着した場合には、ＳＡＷフィルタ部３２におけるＳＡＷフィルタ５４のパイロットキャリア選択動作を停止し、ＳＡＷフィルタカード６０に実装されているＳＡＷフィルタ６２によりパイロットキャリアを選択するように構成することにより、単一機種により複数のパイロットキャリアの周波数に対応させることができ、且つ設定したパイロットキャリアの周波数を後から容易に変更することができる。このため増幅器を多機種用意する必要がなく、生産性を向上し得ると共に製品の管理がきわめて容易となる。
【００４６】
なお、本発明は、上記実施の形態そのままに限定されるものではなく、実施段階ではその要旨を逸脱しない範囲で構成要素を変形して具体化できるものである。
【符号の説明】
【００４７】
１０…下り入力／上り出力端子、１１…ＰＳＦ、１２…方向性結合器、１３…方向性フィルタ、１４…上り出力モニタ端子、１５…方向性フィルタ、１６…方向性結合器、１７…ＰＳＦ、１８…下り出力／上り入力端子、１９…下り出力モニタ端子、２０…下り増幅部、２１…等化器（ＥＱ）、２２…アッテネータ（ＡＴＴ）、２３…方向性結合器、２４…下り入力モニタ端子、２５、２７、３０、３９…増幅器、２６…利得調整部（ＧＣ）、２８…スロープ調整器（ＳＬＯＰＥ）、２９…アッテネータ（ＡＴＴ）、３１…ＡＧＣ信号分岐用の方向性結合器、３２…ＳＡＷフィルタ部、３３…コネクタ、３３ａ〜３３ｅ…コネクタの接続端子、３４…ＡＧＣ設定回路、３５…ＡＧＣコントロール回路、３６…切替スイッチ、３７…ＭＧＣコントロール部、４０…上り増幅部、４１…増幅切替器、４２…方向性結合器、４３…上り入力モニタ端子、４４、４８…増幅器、４５…利得調整部（ＧＣ）、４６…スロープ調整器（ＳＬＯＰＥ）、４７…ローパスフィルタ（ＬＰＦ）、４９…アッテネータ（ＡＴＴ）、５１…入力端子、５２…出力端子、５３…ダイオード、５４…ＳＡＷフィルタ、５５…トランジスタ、６０…ＳＡＷフィルタカード、６１…補助基板、６２…ＳＡＷフィルタ、６３…コネクタ、６３ａ〜６３ｅ…コネクタの接続端子、Ｃ１、Ｃ２、Ｃ３…コンデンサ、Ｒ１、Ｒ２、Ｒ３…抵抗、Ｌ…高周波コイル。
【図１】
2012119962.tif 000003
【図２】
2012119962.tif 000004
【図３】
2012119962.tif 000005